【手続補正書】
【提出日】平成28年7月29日(2016.7.29)
【手続補正１】
【補正対象書類名】特許請求の範囲
【補正対象項目名】全文
【補正方法】変更
【補正の内容】
【特許請求の範囲】
【請求項１】
処理を行うシートを積載するシート積載部と、
前記シート積載部に向かってシートを搬送する第１シート搬送部と、
前記シート積載部と前記第１シート搬送部の間のシート搬送路から分岐して設けられ、シート積載部上のシート束が処理されている間、次に処理されるシートを待機させる待機部と、
前記シート積載部と前記待機部の間の前記シート搬送路に正逆転可能に設けられ、正転によりシートを前記シート積載部へ向けて搬送し、逆転によりシートを前記待機部に搬送する第２シート搬送部と、
前記待機部に正逆転可能に設けられ、前記第２シート搬送部により前記待機部に搬送されたシートを逆転により前記待機部に引き込んで待機させ、待機シートを正転により前記第２シート搬送部に搬送する第３シート搬送部と、
前記第１シート搬送部により順次搬送されるシートを直前の待機シートに対してシート搬送方向に順次ずらして重ねると共に、重なった状態のシートを前記待機部に搬送して待機させるよう前記第２シート搬送部及び前記第３シート搬送部を駆動する制御部と、を備え、
前記制御部は、前記第１シート搬送部により搬送されるシートと直前に前記待機部にシートに引き込まれて待機していた待機シートとの間のずらし量を、前記待機部へ引き込むシートの枚数に応じて設定する、ことを特徴とするシート処理装置。
【請求項２】
前記待機部へ引き込むシートの枚数が多いほど、前記ずらし量を減少させるように前記制御部が制御することを特徴とする請求項１に記載のシート処理装置。
【請求項３】
処理を行うシートを積載するシート積載部と、
前記シート積載部に向かってシートを搬送する第１シート搬送部と、
前記シート積載部と前記第１シート搬送部の間のシート搬送路から分岐して設けられ、シート積載部上のシート束が処理されている間、次に処理されるシートを待機させる待機部と、
前記シート積載部と前記待機部の間の前記シート搬送路に正逆転可能に設けられ、正転によりシートを前記シート積載部へ向けて搬送し、逆転によりシートを前記待機部に搬送する第２シート搬送部と、
前記待機部に正逆転可能に設けられ、前記第２シート搬送部により前記待機部に搬送されたシートを逆転により前記待機部に引き込んで待機させ、待機シートを正転により前記第２シート搬送部に搬送する第３シート搬送部と、
前記第１シート搬送部により順次搬送されるシートを直前の待機シートに対してシート搬送方向に順次ずらして重ねると共に、重なった状態のシートを前記待機部に搬送して待機させるよう前記第２シート搬送部及び前記第３シート搬送部を駆動する制御部と、を備え、
前記制御部は、前記シート積載部に排出される際の重ねられたシートの枚数に応じて、前記待機部に最初に引き込まれる１枚目のシートとそれに続く２枚目のシートとのずらし量を設定する、ことを特徴とするシート処理装置。
【請求項４】
前記待機部のシート搬送方向上流に位置し、搬送されてきたシートが通過するタイミングを検知する検知部と、
前記第３シート搬送部を駆動する駆動部と、を備え、
前記制御部は、前記検知部のシート検知タイミングに基づき、設定された前記ずらし量となるように前記第３シート搬送部の正転を開始するタイミングを早くするよう前記駆動部を制御することを特徴とする請求項１乃至３のいずれか１項に記載のシート処理装置。
【請求項５】
前記待機部のシート搬送方向上流に位置し、搬送されてきたシートが通過するタイミングを検知する検知部と、
前記第３シート搬送部を駆動する駆動部と、を備え、
前記制御部は、前記検知部のシート検知タイミングに基づき、設定された前記ずらし量となるように前記第３シート搬送部の正転速度を速くするよう前記駆動部を制御することを特徴とする請求項１乃至３のいずれか１項に記載のシート処理装置。
【請求項６】
前記待機部のシート搬送方向上流に位置し、搬送されてきたシートが通過するタイミングを検知する検知部と、
前記第１シート搬送部を駆動する駆動部と、を備え、
前記制御部は、前記検知部のシート検知タイミングに基づき、設定された前記ずらし量となるように前記第１シート搬送部のシート搬送速度を遅くするよう前記駆動部を制御することを特徴とする請求項１乃至３のいずれか１項に記載のシート処理装置。
【請求項７】
前記待機部は、前記シート搬送路から分岐する湾曲パスを有し、
前記第１シート搬送部により搬送されたシートは、前記湾曲パスに搬送されたシートの上にシート搬送方向下流にずらして重ねられることを特徴とする請求項１乃至６のいずれか１項に記載のシート処理装置。
【請求項８】
前記シート積載部は、シートのシート搬送方向上流端を受け止めるストッパを備えることを特徴とする請求項１乃至７のいずれか１項に記載のシート処理装置。
【請求項９】
処理を行うシートを積載するシート積載部と、
前記シート積載部に向かってシートを搬送する第１シート搬送部と、
前記シート積載部と前記第１シート搬送部の間のシート搬送路から分岐して設けられ、シート積載部上のシート束が処理されている間、次に処理されるシートを待機させる待機部と、
シートを前記待機部に搬送する第２シート搬送部と、
前記第１シート搬送部により順次搬送されるシートを直前の待機シートに対して前記第１シート搬送部のシート搬送方向に順次ずらして重ねると共に、重なった状態のシートを前記待機部に待機させるよう前記第２シート搬送部を駆動する制御部と、を備え、
前記制御部は、前記第１シート搬送部により搬送されるシートと直前に前記待機部にシートに引き込まれて待機していた待機シートとの間のずらし量を、前記待機部へ引き込むシートの枚数に応じて設定することを特徴とするシート処理装置。
【請求項１０】
前記待機部に正逆転可能に設けられ、前記第２シート搬送部により前記待機部に搬送されたシートを逆転により前記待機部に引き込んで待機させ、待機シートを正転により前記第２シート搬送部に搬送する第３シート搬送部を備え、
前記制御部は、前記第２シート搬送部と共に前記第３シート搬送部を、前記シートの重ね合わせの際に駆動させることを特徴とする請求項９記載のシート処理装置。
【請求項１１】
前記待機部は、循環パスを有することを特徴とする請求項９又は１０記載のシート処理装置。
【請求項１２】
前記制御部は、１枚目のシートと２枚目のシートとのずらし量を、前記シート積載部に排出される際の重ねられたシートの枚数が所定枚数であるときの場合、前記シート積載部に排出される際の重ねられるシートの枚数が前記所定枚数よりも少ない枚数であるときの場合よりも、少なく設定する、ことを特徴とする請求項１乃至１１のいずれか１項記載のシート処理装置。
【請求項１３】
前記制御部は、２枚目のシートと２枚目のシートに続く３枚目のシートとのずらし量を、前記シート積載部に排出される際の重ねられたシートの枚数が所定枚数であるときの場合、前記シート積載部に排出される際の重ねられるシートの枚数が前記所定枚数よりも少ない枚数であるときの場合よりも、少なくする、ことを特徴とする請求項１乃至１２のいずれか１項記載のシート処理装置。
【請求項１４】
シートに画像を形成する画像形成部と、前記画像形成部によって画像を形成されたシートを処理する請求項１乃至１３のいずれか１項に記載のシート処理装置と、を備えたことを特徴とする画像形成装置。
【手続補正２】
【補正対象書類名】明細書
【補正対象項目名】０００９
【補正方法】変更
【補正の内容】
【０００９】
本発明に係るシート処理装置は、処理を行うシートを積載するシート積載部と、前記シート積載部に向かってシートを搬送する第１シート搬送部と、前記シート積載部と前記第１シート搬送部の間のシート搬送路から分岐して設けられ、シート積載部上のシート束が処理されている間、次に処理されるシートを待機させる待機部と、前記シート積載部と前記待機部の間の前記シート搬送路に正逆転可能に設けられ、正転によりシートを前記シート積載部へ向けて搬送し、逆転によりシートを前記待機部に搬送する第２シート搬送部と、前記待機部に正逆転可能に設けられ、前記第２シート搬送部により前記待機部に搬送されたシートを逆転により前記待機部に引き込んで待機させ、待機シートを正転により前記第２シート搬送部に搬送する第３シート搬送部と、前記第１シート搬送部により順次搬送されるシートを直前の待機シートに対してシート搬送方向に順次ずらして重ねると共に、重なった状態のシートを前記待機部に搬送して待機させるよう前記第２シート搬送部及び前記第３シート搬送部を駆動する制御部と、を備え、前記制御部は、前記第１シート搬送部により搬送されるシートと直前に前記待機部にシートに引き込まれて待機していた待機シートとの間のずらし量を、前記待機部へ引き込むシートの枚数に応じて設定する、ことを特徴とする。
また、本発明に係るシート処理装置は、処理を行うシートを積載するシート積載部と、前記シート積載部に向かってシートを搬送する第１シート搬送部と、前記シート積載部と前記第１シート搬送部の間のシート搬送路から分岐して設けられ、シート積載部上のシート束が処理されている間、次に処理されるシートを待機させる待機部と、前記シート積載部と前記待機部の間の前記シート搬送路に正逆転可能に設けられ、正転によりシートを前記シート積載部へ向けて搬送し、逆転によりシートを前記待機部に搬送する第２シート搬送部と、前記待機部に正逆転可能に設けられ、前記第２シート搬送部により前記待機部に搬送されたシートを逆転により前記待機部に引き込んで待機させ、待機シートを正転により前記第２シート搬送部に搬送する第３シート搬送部と、前記第１シート搬送部により順次搬送されるシートを直前の待機シートに対してシート搬送方向に順次ずらして重ねると共に、重なった状態のシートを前記待機部に搬送して待機させるよう前記第２シート搬送部及び前記第３シート搬送部を駆動する制御部と、を備え、前記制御部は、前記シート積載部に排出される際の重ねられたシートの枚数に応じて、前記待機部に最初に引き込まれる１枚目のシートとそれに続く２枚目のシートとのずらし量を設定する、ことを特徴とする。
【手続補正３】
【補正対象書類名】明細書
【補正対象項目名】００１０
【補正方法】変更
【補正の内容】
【００１０】
また、本発明に係るシート処理装置は、処理を行うシートを積載するシート積載部と、前記シート積載手段に向かってシートを搬送する第１シート搬送部と、前記シート積載部と前記第１シート搬送部の間のシート搬送路から分岐して設けられ、シート積載部上のシート束が処理されている間、次に処理されるシートを待機させる待機部と、シートを前記待機部に搬送する第２シート搬送部と、前記第１シート搬送部により順次搬送されるシートを直前の待機シートに対して前記第１シート搬送部のシート搬送方向に順次ずらして重ねると共に、重なった状態のシートを前記待機部に待機させるよう前記第２シート搬送部を駆動する制御部と、を備え、前記制御部は、前記第１シート搬送部により搬送されるシートと直前に前記待機部にシートに引き込まれて待機していた待機シートとの間のずらし量を、前記待機部へ引き込むシートの枚数に応じて設定することを特徴とする。
【手続補正４】
【補正対象書類名】明細書
【補正対象項目名】００１１
【補正方法】変更
【補正の内容】
【００１１】
本発明のように、待機シートの搬送シートとのずらし量を、待機部に引き込むシートの枚数に応じて設定することにより、整合不良を発生させることなくシートの待機処理を行うことができる。